(57)【要約】      （修正有）【課題】複数の半導体発光装置を配置して一定の面積を発光させるＬＥＤ照明装置において、その出射面が均一に光って見えるようにすることで商品性を向上させる技術を提供する。【解決手段】長手矩形状の発光面１１ａ及び当該発光面の短手側端部付近の両側に給電部１１ｂを有する複数の半導体発光装置１１から放射される光を出力するレンズ１０を、当該半導体発光装置１１の発光面１１ａの数に対応して備える照明装置であり、レンズ１０が、発光面１１ａをほぼ覆うような面積及び形状からなる第一入射面１０ａと、発光面１１ａ及び給電部１１ｂを覆う面積及び形状からなる出射面１０ｂと、第一入射面１０ａの短手側端部から延伸し給電部１１ｂを覆う第二入射面１０ｃと、第二入射面１０ｃと出射面１０ｂとをつなぐ全反射面１０ｄと、を有する。【選択図】図４
2012119272.tif 000002
【特許請求の範囲】
【請求項１】
長手矩形状の発光面及び当該発光面の短手側端部付近の両側に給電部を有する複数の半導体発光装置から放射される光を出力するレンズを、当該半導体発光装置の発光面の数に対応して備える照明装置であり、
前記レンズが、
前記発光面をほぼ覆うような面積及び形状からなる第一入射面と、
前記発光面及び前記給電部を覆う面積及び形状からなる出射面と、
前記第一入射面の短手側端部から延伸し前記給電部を覆う第二入射面と、
前記第二入射面と前記出射面とをつなぐ全反射面と、を有する照明装置。
【請求項２】
前記レンズが、
前記反射面の前記第二入射面寄りの位置に取り付け用の脚部をさらに有する、請求項１に記載の照明装置。
【発明の詳細な説明】
【技術分野】
【０００１】
本発明は、光源として発光ダイオードを用いた照明装置に関する。
【背景技術】
【０００２】
近年、発光ダイオード（LED：Light Emitting Diode）を光源として用いた照明装置（以下、LED照明装置とも称する）の普及が進んでいる。
【０００３】
LED照明装置のうち、ＬＥＤを面状に複数配置したものが知られている（例えば、特許文献１参照。）。
【先行技術文献】
【特許文献】
【０００４】
【特許文献１】特開２００７−５９０７３号公報
【発明の概要】
【発明が解決しようとする課題】
【０００５】
ところで、上述の特許文献１のような一定の面積を発光させるＬＥＤ照明装置の場合には、その発光面が均一に光って見えるようにすることが、美観など商品性の観点から好ましい。
【０００６】
しかしながら、特許文献１のような技術では、特許文献１の図２，３に示すように複数の発光ダイオード素子それぞれの発光部分の上側のみに入射面を設けているため、それぞれの出射部の境界部分には光が届きにくく、発光面全体としてみた場合に暗い部分がある（見た目として不均一な部分がある）。
【０００７】
そこで、本発明は、複数の半導体発光装置を配置して一定の面積を発光させるＬＥＤ照明装置において、その出射面が均一に光って見えるようにすることで商品性を向上させる技術を提供することをその解決しようとする課題とする。
【課題を解決するための手段】
【０００８】
以上の課題を解決するために、本発明は以下の手段を有する。
すなわち、本発明は、長手矩形状の発光面及び当該発光面の短手側端部付近の両側に給電部を有する複数の半導体発光装置から放射される光を出力するレンズを、当該半導体発光装置の発光面の数に対応して備える照明装置であり、前記レンズが、前記発光面をほぼ覆うような面積及び形状からなる第一入射面と、前記発光面及び前記給電部を覆う面積及び形状からなる出射面と、前記第一入射面の短手側端部から延伸し前記給電部を覆う第二入射面と、前記第二入射面と前記出射面とをつなぐ全反射面と、を有する照明装置である。
【０００９】
本発明は、長手矩形状の発光面を持つ半導体発光装置（長尺ＬＥＤ）を複数配置し光源として用いた照明装置であり、第一入射面により半導体発光装置の発光面から光のうち大半を取り込み、給電部の上側を覆う第二入射面により発光面より外側へと出射した光を取り込む。そして、本発明は、第一入射面と第二入射面とから取り込んだ光を発光面と前記給電部とを覆う面積及び形状を有する出射面から照射することで、この出射面全体が発光しているように見える。
【００１０】
従って、本発明によれば、出射面が均一に光って見えるようにすることができる。
【００１１】
また、本発明は、前記レンズが、前記反射面の前記第二入射面寄りの位置に取り付け用の脚部をさらに有する。
【００１２】
以上の構成により、本発明は、第一入射面からレンズ内部に入光した光が脚部に入光しにくいため、この脚部から漏れる光が少なくなり光束利用効率の低下を防ぐことができる。
【発明の効果】
【００１３】
以上のように、本発明は、複数の半導体発光装置を配置して一定の面積を発光させるＬＥＤ照明装置において、その出射面が均一に光って見えるようにすることで商品性を向上させる技術を提供することができる。
【図面の簡単な説明】
【００１４】
【図１】本発明の照明装置の一の実施形態にかかる照明装置の正面図である。
【図２】図１の照明装置の側断面図である。
【図３】ＬＥＤの斜視図である。
【図４】図１の照明装置に用いるレンズの側面図である。
【発明を実施するための形態】
【００１５】
以下、この発明の好適な実施形態を図１乃至図５を参照しながら説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明の照明装置の一の実施形態にかかる照明装置の正面図である。また、図２は、図１の照明装置の側断面図である。
【００１７】
図１，２を参照すると、照明装置１は、インナーレンズ１０（本発明のレンズに対応）が半導体発光装置（以下、ＬＥＤ１１とも称する）の搭載される基板１２にネジ１３を介して複数取り付けられている。照明装置１は、長手矩形状の発光面を持つＬＥＤ１１（長尺ＬＥＤ）を複数配置しこれを光源として用いる。
【００１８】
図３は、ＬＥＤ１１の斜視図である。図３のように、ＬＥＤ１１は、長手と短手を持つ矩形（長方形）状の発光面１１ａを有し、当該発光面１１ａの短手側端部付近の両側に給電部１１ｂを有する。
【００１９】
また、照明装置１において、基板１２とヒートシンク１４とが、熱伝達可能な形（不図示）で接続されている。ヒートシンク１４は、外部に露出しており、ＬＥＤ１１を含む電子部品からの発熱を外部に放出する。
【００２０】
そして、照明装置１は、インナーレンズ１０とＬＥＤ１１とを搭載した基板１２を覆うカバーレンズ１５が、パッキン１６を接合部分に介在させてヒートシンク１４と組み付けられている。このカバーレンズ１５が取り付けられることによって、その内部にあるＬＥＤ１１を搭載した基板１２などの電子部品が、外部とは隔離された空間に配置することができる。
【００２１】
次に、照明装置１に用いるインナーレンズ１０の構成を説明する。
図４は、図１の照明装置１に用いるインナーレンズ１０の側面図である。
【００２２】
インナーレンズ１０は、ＬＥＤ１１の発光面１１ａをほぼ覆うような面積及び形状からなる第一入射面１０ａと、発光面１１ａ及び給電部１１ｂを覆う面積及び形状に設定されている出射面１０ｂと、第一入射面１０ａの短手側端部から延伸し給電部１１ｂを覆う第二入射面１０ｃと、第二入射面１０ｃと出射面１０ｂとをつなぐ全反射面１０ｄと、を有する。
【００２３】
図４のように、第一入射面１０ａは、ＬＥＤ１１の発光面１１ａを覆っていることから、発光面１１ａから放射された光のうち大半をインナーレンズ１０内部に取り込む。
【００２４】
また、第一入射面１０ａに入光しない光（発光面１１ａより外側へと出射された光）は、給電部１１ｂの上側を覆っている第二入射面１０ｃによってインナーレンズ１０内部に取り込まれる。
【００２５】
第一入射面１０ａと第二入射面１０ｃとからインナーレンズ１０内部に取り込まれた光は、そのまま出射面１０ｂに向かう光と全反射面１０ｄに向かったのち全反射されて出射面１０ｂに向かう光とが存在する。
【００２６】
インナーレンズ１０内部に取り込まれた光のうちそのまま（全反射面１０ｄに向かうことなく）出射面１０ｂに向かう光は、出射面１０ｂのうち発光面１１ａの直上とその近傍から外部に出射する。また、インナーレンズ１０内部に取り込まれた光のうち、全反射面１０ｄによって全反射された光は、出射面１０ｂのうち発光面１１ａの直上より外方から外部に出射する。
【００２７】
以上のように、照明装置１に用いるインナーレンズ１０は、発光面１１ａと給電部１１ｂとを覆う面積及び形状を有する出射面１０ｂから光を照射することで、この出射面１０ｂ全体が発光しているように見える。
【００２８】
従って、インナーレンズ１０が以上の構成を備えることにより、照明装置１の出射面１０ｂが均一に光って見えるようにすることができる。
【００２９】
また、インナーレンズ１０は、基板１２への取り付け用の脚部１０ｅを、全反射面１０ｄの第二入射面１０ｃ寄りの位置に有する。
【００３０】
インナーレンズ１０は、ＬＥＤ１１から放射される光が入光するが、その際に脚部１０ｅを第二入射面１０ｃ寄りの位置に設けることによって、第一入射面からレンズ内部に入光した光が脚部１０ｅに入光しにくい（脚部１０ｅに入光した後有効に照射されない光となりにくい）。このため、インナーレンズ１０は、この脚部１０ｅから漏れる光が少なくなることで、照明装置１全体としての光束利用効率の低下を防ぐことができる。
【符号の説明】
【００３１】
１    照明装置
１０    インナーレンズ
１０ａ    第一入射面
１０ｂ    出射面
１０ｃ    第二入射面
１０ｄ    全反射面
１０ｅ    脚部
１１ａ    発光面
１１ｂ    給電部
１２    基板
１３    ネジ
１４    ヒートシンク
１５    カバーレンズ
１６    パッキン
【図１】
2012119272.tif 000003
【図２】
2012119272.tif 000004
【図３】
2012119272.tif 000005
【図４】
2012119272.tif 000006